(57)【要約】【課題】構成が簡単であり、組み立てやすく、故障しにくいせん断角を調節可能なクリッパーを提供する。【解決手段】クリッパーは、第１レバー１０、第２レバー２０、金敷き３０、受け板４０、および固定クリップ５０を備える。第１レバー１０の前端に刃板１２が取り付けられる。第２レバー２０は、第１レバー１０と互いに回転可能に結合される。金敷き３０は、第２レバーの前端に設けられ、刃板１２と合せてせん断し、第２レバーの側方に延びて形成される板状本体３０１を有する。板状本体３０１は、軸穴３１および円弧状の摺動縁部３２を有する。受け板４０は、一端に軸穴３１を貫通する軸４１を有し、他端に摺動縁部３２に嵌合する取付溝４２を有する。これにより、受け板４０は、金敷きにおいて軸４１を中心として回転し、刃板１２との相対角度を調節することができる。【選択図】図２
0003170776.tif 000002
【実用新案登録請求の範囲】
【請求項１】
前端に刃板が取り付けられる第１レバーと、
前記第１レバーと互いに回転可能に結合され、前記第１レバーと開閉可能な第２レバーと、
前記第２レバーの前端に設けられ、前記刃板に合わせてせん断し、軸穴および円弧状の摺動縁部を有し前記第２レバーの側方に延びて形成される板状本体を有する金敷きと、
一端に前記軸穴を貫通する軸を有し、他端に前記摺動縁部に嵌合する取付溝を有し、前記軸を中心として回転し、前記刃板との相対角度が調節可能な受け板と、
を備えることを特徴とするクリッパー。
【請求項２】
前記軸は、一端に係合端部が径方向に突出して形成され、少なくとも一つの溝が形成されることを特徴とする請求項１記載のクリッパー。
【請求項３】
前記摺動縁部は、前記受け板の反対側に複数の固定穴を有し、
前記受け板の前記取付溝を有する前記他端には、前記固定穴に嵌合する固定端部を有し前記受け板と互いに挟み合う固定クリップが設けられることを特徴とする請求項１記載のクリッパー。
【請求項４】
前記第１レバーは、前端と反対側の後端に第１握り部が設けられ、
前記第２レバーは、前端と反対側の後端に第２握り部が設けられ、
前記第２握り部は、一端が枢接部材によって前記第２レバーと結合し、他端が締付具によって前記第２レバーと結合し、前記第２レバーと結合する側に前記第２レバーを設置するための握り部の溝を有し、
前記握り部の溝は、内壁に収納時に前記刃板を保管するまたは交換用の刃板を保管するための刃溝が形成されることを特徴とする請求項１記載のクリッパー。
【請求項５】
前記第１握り部および前記第２握り部は、長手方向の中間部に相対的に幅の狭い凹み部が形成されることを特徴とする請求項４記載のクリッパー。
【考案の詳細な説明】
【技術分野】
【０００１】
本考案は、クリッパーに関し、詳しくは、せん断角を調節可能なクリッパーに関する。
【背景技術】
【０００２】
従来のせん断角を調節可能なクリッパーは、米国特許第５，５４２，１８２号明細書（特許文献１）によれば、留め具によってせん断対象物とクリッパーの刃との角度を固定し、せん断対象物を特定の角度にせん断する。
【先行技術文献】
【特許文献】
【０００３】
【特許文献１】米国特許第５，５４２，１８２号明細書
【考案の概要】
【考案が解決しようとする課題】
【０００４】
しかし、従来のクリッパーのせん断角の調節構成と操作方法とが複雑であり、製造するときの組み立てが難しいばかりでなく、使用するときに故障を引き起こす恐れがある。さらに、刃と留め具との干渉を避けるため、所定の複数の角度しか使用できないため、不便と言える。
【０００５】
本考案は、このような点に鑑みて創作されたものであり、その目的は、構成と操作方法とが簡単であり、組み立てやすく、故障しにくいせん断角を調節可能なクリッパーを提供することにある。
【課題を解決するための手段】
【０００６】
上記目的を達成するため、本考案によるクリッパーは、前端に刃板が取り付けられる第１レバーと、第１レバーと互いに回転可能に結合され、第１レバーと自在に開閉可能な第２レバーと、第２レバーの前端に設けられ、刃板と合わせてせん断する金敷きと、受け板とを備える。金敷きは、第２レバーの側方に延びて形成される板状本体を有する。板状本体は、軸穴、および円弧状の摺動縁部を有する。
【０００７】
受け板は、一端に軸穴を貫通する軸を有し、他端に摺動縁部に嵌合する取付溝を有し、軸を中心として回転し、刃板との相対角度が調節可能である。
（考案の効果）
【０００８】
本考案は、受け板の軸と取付溝とを設置することによって、受け板を金敷きへ容易に設置することができる。受け板と刃板との相対角度を調節し、せん断対象物を受け板にあてることにより、せん断対象物のせん断部と刃板との必要な角度を形成する。これにより、本考案によるクリッパーは、構成が単純で、組立が簡単であり、かつ故障しにくい長所を有する。
【図面の簡単な説明】
【０００９】
【図１】本考案の一実施形態によるクリッパーの斜視図である。
【図２】本考案の一実施形態によるクリッパーの分解斜視図である。
【図３】本考案の一実施形態によるクリッパーの固定クリップの動作態様図（その１）である。
【図４】本考案の一実施形態によるクリッパーの固定クリップの動作態様図（その２）である。
【図５】本考案の一実施形態によるクリッパーによりせん断角を調節するときの動作態様図（その１）である。
【図６】本考案の一実施形態によるクリッパーによりせん断角を調節するときの動作態様図（その２）である。
【図７】本考案の一実施形態によるクリッパーの刃板を交換及び収納するときの動作態様図である。
【考案を実施するための形態】
【００１０】
以下、本考案の実施形態によるクリッパーを図面に基づいて説明する。
（一実施形態）
図１と図２とに示すように、本考案の一実施形態によるクリッパーは、第１レバー１０、第２レバー２０、金敷き３０、受け板４０、および固定クリップ５０を備える。第１レバー１０の前端に、締め付けシート１１によって刃板１２が取り付けられる。第１レバー１０の後端に、握持に備えるための第１握り部１３が設けられる。第１握り部１３は、長手方向の中間部に相対的に幅の狭い凹み部１４を有する。
【００１１】
第１レバー１０と第２レバー２０とは、複数の歯部１０１、２０１により噛合する。かつ歯部１０１、２０１の側辺に、少なくとも両端部がそれぞれ第１レバー１０と第２レバー２０とに枢接する連結シート２１が設けられ、第１レバー１０と第２レバー２０との間にスプリング２２が設けられる。第１レバー１０と第２レバー２０とは、自在に開閉することができる。
【００１２】
そのうち、第２レバー２０は、後端に、握持に備える第２握り部２３が設けられる。第２握り部２３は、第２レバー２０と結合する側に、第２レバー２０の設置に備える握り部の溝２３１が形成され、両端部がそれぞれ枢接部材２３２と締付具２３３とによって第２レバー２０に結合される。握り部の溝２３１は、内壁に開口部２３４と収納時に刃板１２を収容するための刃溝２３５とを有する。第２握り部２３は、長手方向の中間部に相対的に幅の狭い凹み部２４を有する。
【００１３】
金敷き３０は、第２レバー２０の前端に設けられ、刃板１２と合わせてせん断する。金敷き３０は、第２レバー２０の側方に延びて形成される板状本体３０１を有する。板状本体３０１は、軸穴３１、および円弧状の摺動縁部３２を有する。金敷き３０上には、軸穴３１を中心とし、放射状に複数の目盛りが設けられる。さらに、摺動縁部３２は、受け板４０の反対側に複数の固定穴３３を有する。
【００１４】
受け板４０は、プラスチックまたは弾性を有する部材からなる。受け板４０の一端に、軸穴３１を貫通する軸４１が設けられる。軸４１は、一端に係合端部４１１が径方向に突出して形成され、少なくとも一つの溝４１２が形成される。これにより、軸４１は、弾性により内側へ引き込まれ、軸穴３１を貫通する。係合端部４１１を設けることによって、軸４１が軸穴３１から不意な離脱を防止することができる。さらに、受け板４０の他端に、摺動縁部３２に嵌合する取付溝４２を有する。受け板４０は、軸４１を中心として金敷き３０において回転し、刃板１２との相対角度を調節することができる。
【００１５】
固定クリップ５０は、受け板４０の取付溝４２を有する他端に設けられる。固定クリップ５０と受け板４０との間に、弾性部材５１が設けられる。これにより、固定クリップ５０を金敷き３０の底部に挟むことができる。かつ固定クリップ５０は、固定穴３３に嵌合する固定端部５２を有する。
【００１６】
図３に示すように、使用者がせん断角を改変するときは、固定クリップ５０を押し、固定端部５２と固定穴３３とを分離させ、受け板４０を回転自在の状態にしておく。引き続き、受け板４０の取付溝４２を有する他端を回し、摺動縁部３２に沿って所定の角度に摺動させた後、固定クリップ５０を手放す。固定クリップ５０は、弾性部材５１の弾性力によって、固定端部５２が再び固定穴３３に嵌合して固定される（図４参照）。固定穴３３は、常用の角度に設置され、迅速調節に便利である。仮に、所定の角度に適切な固定穴３３が設けられていなくても、固定クリップ５０の挟み力によって、受け板４０を所定の角度に固定させることができる。
【００１７】
図５と図６とを参照する。受け板４０と刃板１２との相対角度を予定のせん断角に変更した後、せん断対象物を受け板４０にあてる。第１握り部１３と第２握り部２３とを押すことにより、刃板１２によって金敷き３０においてせん断対象物を所定の角度でせん断する。そのうち、歯部１０１、２０１の噛合伝動により、使用者がせん断対象物をせん断する力量を軽減することができる。また、凹み部１４、２４の設計により、使用者の手首の力の働きを良くすることができる。
【００１８】
図７に示すように、締め付けシート１１を取り外すことのみにより、刃板１２の取り外し交換作業を行うことができる。第２握り部２３に備える締付具２３３を取り外した後、第２握り部２３は、枢接部材２３２を中心として回転しひっくり返すことができる。握り部の溝２３１に内設される刃溝２３５を第２レバー２０の外部に露出させ、刃溝２３５内部に保管される刃板１２を開口部２３４から取り外す。これにより、刃板１２の交換作業を行うことができる。さらに、クリッパーを使用しないときは、刃板１２を取り外して刃溝２３５の内部に保管しておき、第２握り部２３は元の位置に戻し、締付具２３３によって第２レバー２０に締め付けられる。これにより、刃溝２３５の内部に保管される刃板１２を不用意に落とすことを確実に防止することができる。
【符号の説明】
【００１９】
１０  ・・・第１レバー
１０１・・・歯部
１１  ・・・締め付けシート
１２  ・・・刃板
１３  ・・・第１握り部
１４  ・・・凹み部
２０  ・・・第２レバー
２０１・・・歯部
２１  ・・・連結シート
２２  ・・・スプリング
２３  ・・・第２握り部
２３１・・・握り部の溝
２３２・・・枢接部材
２３３・・・締付具
２３４・・・開口部
２３５・・・刃溝
２４  ・・・凹み部
３０  ・・・金敷き
３０１・・・板状本体
３１  ・・・軸穴
３２  ・・・摺動縁部
３３  ・・・固定穴
４０  ・・・受け板
４１  ・・・軸
４１１・・・係合端部
４１２・・・溝
４２  ・・・取付溝
５０  ・・・固定クリップ
５１  ・・・弾性部材
５２  ・・・固定端部
【図１】
0003170776.tif 000003
【図２】
0003170776.tif 000004
【図３】
0003170776.tif 000005
【図４】
0003170776.tif 000006
【図５】
0003170776.tif 000007
【図６】
0003170776.tif 000008
【図７】
0003170776.tif 000009